(57)【特許請求の範囲】
【請求項１】
ユーザによりギャラリーから選択された画像を取得し、前記ユーザにより前記ギャラリーから選択された前記画像を共有対象の画像として使用するステップであり、前記共有対象の画像の数量は、ターゲット共有プラットフォームにより許容される１回の最大共有可能写真数量より大きいステップと、
少なくとも２つの処理された共有対象の画像を取得するために、前記ターゲット共有プラットフォームにより許容される前記１回の最大共有可能写真数量に従って、前記共有対象の画像のうち少なくとも２つの画像において合成処理を実行するステップであり、前記処理された共有対象の画像の数量は、前記ターゲット共有プラットフォームにより許容される前記１回の最大共有可能写真数量以下であるステップと、
前記処理された共有対象の画像を前記ターゲット共有プラットフォームに送信するステップと
を含み、
前記ユーザにより前記ギャラリーから選択された前記画像の数量及び前記ターゲット共有プラットフォームにより許容される前記１回の最大共有可能写真数量に従って、前記処理された共有対象の画像により使用される画像テンプレートを決定するステップを更に含む、画像共有方法。
【請求項２】
ユーザによりギャラリーから選択された画像を取得する前に、
同じイベントの画像の少なくとも１つのグループを取得するために、前記ギャラリー内の画像の属性情報に従って、前記ギャラリー内の前記画像をグループ化するステップを更に含み、
ユーザによりギャラリーから選択された画像を取得し、前記ユーザにより前記ギャラリーから選択された前記画像を共有対象の画像として使用するステップは、
前記ユーザにより前記ギャラリーから選択された同じイベントの画像の少なくとも１つのグループを取得し、前記ユーザにより前記ギャラリーから選択された同じイベントの画像の前記少なくとも１つのグループを前記共有対象の画像として使用するステップを含む、請求項１に記載の方法。
【請求項３】
同じイベントの画像の少なくとも１つのグループを取得するために、前記ギャラリー内の画像の属性情報に従って、前記ギャラリー内の前記画像をグループ化するステップは、
同じイベントの画像の前記少なくとも１つのグループを取得するために、前記ギャラリー内の前記画像の以下の属性情報、すなわち、時間情報、位置情報、対象情報、又は撮影パラメータ情報のうち少なくとも１つに従って、前記ギャラリー内の前記画像をグループ化するステップを含む、請求項２に記載の方法。
【請求項４】
前記ターゲット共有プラットフォームにより許容される前記１回の最大共有可能写真数量は、前記ユーザにより設定されるか、或いは端末デバイスによりネットワーク側サーバから取得される、請求項１に記載の方法。
【請求項５】
前記ユーザにより前記共有対象の画像内で選択された人物肖像情報に従って、前記人物肖像情報に対応する人物の識別情報を取得するステップと、
前記人物の前記識別情報に従って、前記共有対象の画像を前記人物の前記識別情報に対応する端末デバイスに送信するステップと
を更に含む、請求項１に記載の方法。
【請求項６】
ユーザによりギャラリーから選択された画像を取得し、前記ユーザにより前記ギャラリーから選択された前記画像を共有対象の画像として使用するように構成された取得モジュールであり、前記共有対象の画像の数量は、ターゲット共有プラットフォームにより許容される１回の最大共有可能写真数量より大きい取得モジュールと、
少なくとも２つの処理された共有対象の画像を取得するために、前記ターゲット共有プラットフォームにより許容される前記１回の最大共有可能写真数量に従って、前記共有対象の画像のうち少なくとも２つの画像において合成処理を実行するように構成された処理モジュールであり、前記処理された共有対象の画像の数量は、前記ターゲット共有プラットフォームにより許容される前記１回の最大共有可能写真数量以下である処理モジュールと、
前記処理された共有対象の画像を前記ターゲット共有プラットフォームに送信するように構成された送信モジュールと
を含み、
前記処理モジュールは、前記ユーザにより前記ギャラリーから選択された前記画像の数量及び前記ターゲット共有プラットフォームにより許容される前記１回の最大共有可能写真数量に従って、前記処理された共有対象の画像により使用される画像テンプレートを決定するように更に構成される、画像共有装置。
【請求項７】
前記処理モジュールは、前記ユーザにより前記ギャラリーから選択された前記画像が取得される前に、同じイベントの画像の少なくとも１つのグループを取得するために、前記ギャラリー内の画像の属性情報に従って、前記ギャラリー内の前記画像をグループ化するように更に構成され、
前記取得モジュールは、前記ユーザにより前記ギャラリーから選択された同じイベントの画像の少なくとも１つのグループを取得し、前記ユーザにより前記ギャラリーから選択された同じイベントの画像の前記少なくとも１つのグループを前記共有対象の画像として使用するように構成される、請求項６に記載の装置。
【請求項８】
前記処理モジュールは、同じイベントの画像の前記少なくとも１つのグループを取得するために、前記ギャラリー内の前記画像の以下の属性情報、すなわち、時間情報、位置情報、対象情報、又は撮影パラメータ情報のうち少なくとも１つに従って、前記ギャラリー内の前記画像をグループ化するように構成される、請求項７に記載の装置。
【請求項９】
前記ターゲット共有プラットフォームにより許容される前記１回の最大共有可能写真数量は、前記ユーザにより設定されるか、或いは端末デバイスによりネットワーク側サーバから取得される、請求項６に記載の装置。
【請求項１０】
前記処理モジュールは、前記ユーザにより前記共有対象の画像内で選択された人物肖像情報に従って、前記人物肖像情報に対応する人物の識別情報を取得し、前記人物の前記識別情報に従って、前記共有対象の画像を前記人物の前記識別情報に対応する端末デバイスに送信するように更に構成される、請求項６に記載の装置。
【請求項１１】
ユーザによりギャラリーから選択された画像を取得し、前記ユーザにより前記ギャラリーから選択された前記画像を共有対象の画像として使用するように構成され、前記共有対象の画像の数量は、ターゲット共有プラットフォームにより許容される１回の最大共有可能写真数量より大きく、少なくとも２つの処理された共有対象の画像を取得するために、前記ターゲット共有プラットフォームにより許容される前記１回の最大共有可能写真数量に従って、前記共有対象の画像のうち少なくとも２つの画像において合成処理を実行するように構成され、前記処理された共有対象の画像の数量は、前記ターゲット共有プラットフォームにより許容される前記１回の最大共有可能写真数量以下であるプロセッサと、
前記処理された共有対象の画像を前記ターゲット共有プラットフォームに送信するように構成された送信機と
を含み、
前記プロセッサは、前記ユーザにより前記ギャラリーから選択された前記画像の数量及び前記ターゲット共有プラットフォームにより許容される前記１回の最大共有可能写真数量に従って、前記処理された共有対象の画像により使用される画像テンプレートを決定するように更に構成される、端末デバイス。
【請求項１２】
前記プロセッサは、前記ユーザにより前記ギャラリーから選択された前記画像を取得する前に、同じイベントの画像の少なくとも１つのグループを取得するために、前記ギャラリー内の画像の属性情報に従って、前記ギャラリー内の前記画像をグループ化するように更に構成され、
前記プロセッサは、前記ユーザにより前記ギャラリーから選択された同じイベントの画像の少なくとも１つのグループを取得し、前記ユーザにより前記ギャラリーから選択された同じイベントの画像の前記少なくとも１つのグループを前記共有対象の画像として使用するように構成される、請求項１１に記載の端末デバイス。
【請求項１３】
前記プロセッサは、同じイベントの画像の前記少なくとも１つのグループを取得するために、前記ギャラリー内の前記画像の以下の属性情報、すなわち、時間情報、位置情報、対象情報、又は撮影パラメータ情報のうち少なくとも１つに従って、前記ギャラリー内の前記画像をグループ化するように構成される、請求項１２に記載の端末デバイス。
【請求項１４】
前記ターゲット共有プラットフォームの前記１回の最大共有可能写真数量は、前記ユーザにより設定されるか、或いは前記端末デバイスによりネットワーク側サーバから取得される、請求項１１に記載の端末デバイス。
【請求項１５】
前記プロセッサは、前記ユーザにより前記共有対象の画像内で選択された人物肖像情報に従って、前記人物肖像情報に対応する人物の識別情報を取得し、前記人物の前記識別情報に従って、前記共有対象の画像を前記人物の前記識別情報に対応する端末デバイスに送信するように更に構成される、請求項１１に記載の端末デバイス。
【請求項１６】
コンピュータに請求項１乃至５のうちいずれか１項に記載の方法を実行させるプログラムを記録したコンピュータ読み取り可能記憶媒体。
【発明の詳細な説明】
【技術分野】
【０００１】
本発明は、通信技術の分野に関し、特に画像共有方法及び装置、並びに端末デバイスに関する。
【背景技術】
【０００２】
今日では、インテリジェント端末デバイスは、社会で広く使用されている。インテリジェント端末デバイスにおけるマルチメディア機能及びターゲット共有機能は、既にユーザの非弾力的需要になっている。
【０００３】
画像共有について、ターゲット共有プラットフォームへのログインの後に、複数の写真がインテリジェント端末デバイスのギャラリー内で選択され、ターゲット共有プラットフォームに送信され得る。例えば、インテリジェント端末デバイスのギャラリーから選択された複数の写真は、WeChat、Weibo等に送信される。
【０００４】
しかし、従来技術において提供される解決策を用いて、毎回共有されるべき画像の数量は制限される。例えば、WeChat及びWeibo  は、毎回せいぜい９個の画像の共有をサポートする。したがって、どのように毎回共有されるべき画像の数量を増加させ、ユーザの多様化した共有要求を満たすかは、至急解決される必要がある課題になっている。
【発明の概要】
【０００５】
本発明の実施例は、処理された共有対象の画像を取得するため、ターゲット共有プラットフォームにより許容される１回の最大共有可能写真数量に従って、共有対象の画像を処理するための画像共有方法及び装置、並びに端末デバイスを提供する。これは、画像がターゲット共有プラットフォームを使用することにより共有される場合、共有されるべき画像の数量が制限されるという従来技術における課題を解決する。
【０００６】
第１の態様によれば、本発明の実施例は、画像共有方法を提供し、ユーザによりギャラリーから選択された画像を取得し、ユーザによりギャラリーから選択された画像を共有対象の画像として使用するステップであり、共有対象の画像の数量は、ターゲット共有プラットフォームにより許容される１回の最大共有可能写真数量より大きいステップと、処理された共有対象の画像を取得するために、ターゲット共有プラットフォームにより許容される１回の最大共有可能写真数量に従って、共有対象の画像のうち少なくとも２つの画像において合成処理を実行するステップであり、処理された共有対象の画像の数量は、ターゲット共有プラットフォームにより許容される１回の最大共有可能写真数量以下であるステップと、処理された共有対象の画像をターゲット共有プラットフォームに送信するステップとを含む。
【０００７】
第１の態様の第１の可能な実現方式では、ユーザによりギャラリーから選択された画像を取得する前に、この方法は、同じイベントの画像の少なくとも１つのグループを取得するために、ギャラリー内の画像の属性情報に従って、ギャラリー内の画像をグループ化するステップを更に含み、ユーザによりギャラリーから選択された画像を取得し、ユーザによりギャラリーから選択された画像を共有対象の画像として使用するステップは、ユーザによりギャラリーから選択された同じイベントの画像の少なくとも１つのグループを取得し、ユーザによりギャラリーから選択された同じイベントの画像の少なくとも１つのグループを共有対象の画像として使用するステップを含む。
【０００８】
第１の態様の第１の可能な実現方式に従って、第２の可能な実現方式では、同じイベントの画像の少なくとも１つのグループを取得するために、ギャラリー内の画像の属性情報に従って、ギャラリー内の画像をグループ化するステップは、同じイベントの画像の少なくとも１つのグループを取得するために、ギャラリー内の画像の以下の属性情報、すなわち、時間情報、位置情報、対象情報、又は撮影パラメータ情報のうち少なくとも１つに従って、ギャラリー内の画像をグループ化するステップを含む。
【０００９】
第１の態様又は第１の態様の第１〜第２の可能な実現方式のうちいずれか１つに従って、第３の可能な実現方式では、この方法は、ユーザによりギャラリーから選択された画像の数量及びターゲット共有プラットフォームにより許容される１回の最大共有可能写真数量に従って、処理された共有対象の画像により使用される画像テンプレートを決定するステップを更に含む。
【００１０】
第１の態様又は第１の態様の第１〜第３の可能な実現方式のうちいずれか１つに従って、第４の可能な実現方式では、ターゲット共有プラットフォームにより許容される１回の最大共有可能写真数量は、ユーザにより設定されるか、或いは端末デバイスによりネットワーク側サーバから取得される。
【００１１】
第１の態様又は第１の態様の第１〜第４の可能な実現方式のうちいずれか１つに従って、第５の可能な実現方式では、この方法は、ユーザにより共有対象の画像内で選択された人物肖像情報に従って、人物肖像情報に対応する人物の識別情報を取得するステップと、人物の識別情報に従って、共有対象の画像を人物の識別情報に対応する端末デバイスに送信するステップとを更に含む。
【００１２】
第２の態様によれば、本発明の実施例は、画像共有装置を提供し、ユーザによりギャラリーから選択された画像を取得し、ユーザによりギャラリーから選択された画像を共有対象の画像として使用するように構成された取得モジュールであり、共有対象の画像の数量は、ターゲット共有プラットフォームにより許容される１回の最大共有可能写真数量より大きい取得モジュールと、処理された共有対象の画像を取得するために、ターゲット共有プラットフォームにより許容される１回の最大共有可能写真数量に従って、共有対象の画像のうち少なくとも２つの画像において合成処理を実行するように構成された処理モジュールであり、処理された共有対象の画像の数量は、ターゲット共有プラットフォームにより許容される１回の最大共有可能写真数量以下である処理モジュールと、処理された共有対象の画像をターゲット共有プラットフォームに送信するように構成された送信モジュールとを含む。
【００１３】
第２の態様の第１の可能な実現方式では、処理モジュールは、ユーザによりギャラリーから選択された画像が取得される前に、同じイベントの画像の少なくとも１つのグループを取得するために、ギャラリー内の画像の属性情報に従って、ギャラリー内の画像をグループ化するように更に構成され、取得モジュールは、ユーザによりギャラリーから選択された同じイベントの画像の少なくとも１つのグループを取得し、ユーザによりギャラリーから選択された同じイベントの画像の少なくとも１つのグループを共有対象の画像として使用するように具体的に構成される。
【００１４】
第２の態様の第１の可能な実現方式に従って、第２の可能な実現方式では、処理モジュールは、同じイベントの画像の少なくとも１つのグループを取得するために、ギャラリー内の画像の以下の属性情報、すなわち、時間情報、位置情報、対象情報、又は撮影パラメータ情報のうち少なくとも１つに従って、ギャラリー内の画像をグループ化するように具体的に構成される。
【００１５】
第２の態様又は第２の態様の第１〜第２の可能な実現方式のうちいずれか１つに従って、第３の可能な実現方式では、処理モジュールは、ユーザによりギャラリーから選択された画像の数量及びターゲット共有プラットフォームにより許容される１回の最大共有可能写真数量に従って、処理された共有対象の画像により使用される画像テンプレートを決定するように更に構成される。
【００１６】
第２の態様又は第２の態様の第１〜第３の可能な実現方式のうちいずれか１つに従って、第４の可能な実現方式では、ターゲット共有プラットフォームの１回の最大共有可能写真数量は、ユーザにより設定されるか、或いは端末デバイスによりネットワーク側サーバから取得される。
【００１７】
第２の態様又は第２の態様の第１〜第４の可能な実現方式のうちいずれか１つに従って、第５の可能な実現方式では、処理モジュールは、ユーザにより共有対象の画像内で選択された人物肖像情報に従って、人物肖像情報に対応する人物の識別情報を取得し、人物の識別情報に従って、共有対象の画像を人物の識別情報に対応する端末デバイスに送信するように更に構成される。
【００１８】
第３の態様によれば、本発明の実施例は、端末デバイスを提供し、ユーザによりギャラリーから選択された画像を取得し、ユーザによりギャラリーから選択された画像を共有対象の画像として使用するように構成され、共有対象の画像の数量は、ターゲット共有プラットフォームにより許容される１回の最大共有可能写真数量より大きく、処理された共有対象の画像を取得するために、ターゲット共有プラットフォームにより許容される１回の最大共有可能写真数量に従って、共有対象の画像のうち少なくとも２つの画像において合成処理を実行するように構成され、処理された共有対象の画像の数量は、ターゲット共有プラットフォームにより許容される１回の最大共有可能写真数量以下であるプロセッサと、処理された共有対象の画像をターゲット共有プラットフォームに送信するように構成された送信機とを含む。
【００１９】
第３の態様の第１の可能な実現方式では、プロセッサは、ユーザによりギャラリーから選択された画像を取得する前に、同じイベントの画像の少なくとも１つのグループを取得するために、ギャラリー内の画像の属性情報に従って、ギャラリー内の画像をグループ化するように更に構成され、プロセッサは、ユーザによりギャラリーから選択された同じイベントの画像の少なくとも１つのグループを取得し、ユーザによりギャラリーから選択された同じイベントの画像の少なくとも１つのグループを共有対象の画像として使用するように具体的に構成される。
【００２０】
第３の態様の第１の可能な実現方式に従って、第２の可能な実現方式では、プロセッサは、同じイベントの画像の少なくとも１つのグループを取得するために、ギャラリー内の画像の以下の属性情報、すなわち、時間情報、位置情報、対象情報、又は撮影パラメータ情報のうち少なくとも１つに従って、ギャラリー内の画像をグループ化するように具体的に構成される。
【００２１】
第３の態様又は第３の態様の第１〜第２の可能な実現方式のうちいずれか１つに従って、第３の可能な実現方式では、プロセッサは、ユーザによりギャラリーから選択された画像の数量及びターゲット共有プラットフォームにより許容される１回の最大共有可能写真数量に従って、処理された共有対象の画像により使用される画像テンプレートを決定するように更に構成される。
【００２２】
第３の態様又は第３の態様の第１〜第３の可能な実現方式のうちいずれか１つに従って、第４の可能な実現方式では、ターゲット共有プラットフォームの１回の最大共有可能写真数量は、ユーザにより設定されるか、或いは端末デバイスによりネットワーク側サーバから取得される。
【００２３】
第３の態様又は第３の態様の第１〜第４の可能な実現方式のうちいずれか１つに従って、第５の可能な実現方式では、プロセッサは、ユーザにより共有対象の画像内で選択された人物肖像情報に従って、人物肖像情報に対応する人物の識別情報を取得し、人物の識別情報に従って、共有対象の画像を人物の識別情報に対応する端末デバイスに送信するように更に構成される。
【００２４】
本発明の実施例の画像共有方法及び装置、並びに端末デバイスによれば、ユーザによりギャラリーから選択された画像が取得され、ユーザによりギャラリーから選択された画像が共有対象の画像として使用され、処理された共有対象の画像を取得するために、ターゲット共有プラットフォームにより許容される１回の最大共有可能写真数量に従って、共有対象の画像のうち少なくとも２つの画像において合成処理が実行され、処理された共有対象の画像がターゲット共有プラットフォームに送信される。ユーザにより選択された共有対象の画像の数量がターゲット共有プラットフォームにより許容される１回の最大共有可能写真数量より大きい場合、共有対象の画像が処理された後に取得された処理された共有対象の画像の数量は、ターゲット共有プラットフォームにより許容される１回の最大共有可能写真数量以下である。したがって、ユーザにより選択された共有対象の画像は、依然として一度にターゲット共有プラットフォームに共有され得る。これは、共有対象の画像の数量が制限されるという課題を解決し、ターゲット共有プラットフォームに共有されるべき画像の数量を増加させる。
【図面の簡単な説明】
【００２５】
本発明の実施例における技術的解決策をより明確に説明するために、以下に、実施例を説明するために必要な添付図面について簡単に説明する。明らかに、以下の説明における添付図面は、単に本発明のいくつかの実施例を示しているに過ぎず、当業者は、創造的取り組みを行うことなく、依然としてこれらの添付図面から他の図面を導き得る。
【図１】本発明の実施例１による画像共有方法のフローチャートである。
【図２】本発明の実施例２による画像共有方法のフローチャートである。
【図３】本発明の実施例３による画像共有装置300の概略構成図である。
【図４】本発明の実施例４による端末デバイス400の概略構成図である。
【発明を実施するための形態】
【００２６】
本発明の実施例の目的、技術的解決策及び利点をより明確にするために、以下に、本発明の実施例における添付図面を参照して本発明の実施例における技術的解決策を明確に説明する。明らかに、説明する実施例は、本発明の実施例の全てではなく、一部である。創造的取り組みなしに本発明の実施例に基づいて当業者により得られる全ての他の実施例は、本発明の保護範囲内に入るものとする。
【００２７】
図１は、本発明の実施例１による画像共有方法のフローチャートである。この実施例における方法は、ターゲット共有プラットフォームに共有されるべき画像の数量を増加させることに適用可能である。この方法は、画像共有装置により実行され、この装置は、通常ではハードウェア及び／又はソフトウェアの方式で実現される。この実施例における方法は以下のステップを含む。
【００２８】
S110：ユーザによりギャラリーから選択された画像を取得し、ユーザによりギャラリーから選択された画像を共有対象の画像として使用し、共有対象の画像の数量は、ターゲット共有プラットフォームにより許容される１回の最大共有可能写真数量より大きい。
【００２９】
S120：処理された共有対象の画像を取得するために、ターゲット共有プラットフォームにより許容される１回の最大共有可能写真数量に従って、共有対象の画像のうち少なくとも２つの画像において合成処理を実行し、処理された共有対象の画像の数量は、ターゲット共有プラットフォームにより許容される１回の最大共有可能写真数量以下である。
【００３０】
例えば、ユーザがギャラリー内で１２個の画像を共有対象の画像として選択し、従来技術では、ターゲット共有プラットフォームにより許容される１回の最大共有可能写真数量が９である場合、従来技術では、１２個の画像の全ては、一度にターゲット共有プラットフォームに共有されることはできない。しかし、この実施例では、処理された共有対象の画像を取得するために、ユーザによりギャラリーから選択された１２個の画像のうち少なくとも２つの画像において合成処理が実行されてもよい。例えば、１つの処理された共有対象の画像を取得するために、１２個の画像において合成処理が実行されるか、或いは１２個の画像のうち５個の画像が１つの画像に合成され、残りの画像において合成は実行されない。処理された共有対象の画像の数量は８であり、このため、処理された共有対象の画像の数量は、ターゲット共有プラットフォームにより許容される１回の最大共有可能写真数量以下であり、すなわち、ユーザによりギャラリーから選択された１２個の画像が処理された後に取得された処理された共有対象の画像の数量は９以下であり、処理はS130に進んでもよい。処理された共有対象の画像は、ターゲット共有プラットフォームに送信される。
【００３１】
S130：処理された共有対象の画像をターゲット共有プラットフォームに送信する。
【００３２】
具体的には、ユーザによりギャラリーから選択された画像が取得され、ユーザによりギャラリーから選択された画像が共有対象の画像として使用され、処理された共有対象の画像を取得するために、ターゲット共有プラットフォームにより許容される１回の最大共有可能写真数量に従って、共有対象の画像のうち少なくとも２つの画像において合成処理が実行され、処理された共有対象の画像がターゲット共有プラットフォームに送信される。これは、ターゲット共有プラットフォームに共有されるべき画像の数量を増加させる。
【００３３】
この実施例において提供される画像共有方法によれば、ユーザによりギャラリーから選択された画像が取得され、ユーザによりギャラリーから選択された画像が共有対象の画像として使用され、処理された共有対象の画像を取得するために、ターゲット共有プラットフォームにより許容される１回の最大共有可能写真数量に従って、共有対象の画像のうち少なくとも２つの画像において合成処理が実行され、処理された共有対象の画像がターゲット共有プラットフォームに送信される。ユーザにより選択された共有対象の画像の数量がターゲット共有プラットフォームにより許容される１回の最大共有可能写真数量より大きい場合、共有対象の画像が処理された後に取得された処理された共有対象の画像の数量は、ターゲット共有プラットフォームにより許容される１回の最大共有可能写真数量以下である。したがって、ユーザにより選択された共有対象の画像は、依然として一度にターゲット共有プラットフォームに共有され得る。これは、共有対象の画像の数量が制限されるという課題を解決し、ターゲット共有プラットフォームに共有されるべき画像の数量を増加させる。
【００３４】
前述の実施例に基づいて、前述の実施例は、この実施例において最適化される。図２は、本発明の実施例２による画像共有方法のフローチャートである。図２を参照すると、この実施例における方法は以下を含んでもよい。
【００３５】
S210：同じイベントの画像の少なくとも１つのグループを取得するために、ギャラリー内の画像の属性情報に従って、ギャラリー内の画像をグループ化する。
【００３６】
例えば、同じイベントの画像の少なくとも１つのグループを取得するために、ギャラリー内の画像の属性情報に従って、ギャラリー内の画像をグループ化することは、以下の方式、すなわち、同じイベントの画像の少なくとも１つのグループを取得するために、ギャラリー内の画像の以下の属性情報、すなわち、時間情報、位置情報、対象情報、又は撮影パラメータ情報のうち少なくとも１つに従って、ギャラリー内の画像をグループ化することで実現されてもよい。対象情報は、顔、表情、物体（例えば、ビル、スローガン又は標識のような表記）、色、背景等を含んでもよい点に留意すべきである。
【００３７】
ギャラリー内の画像は、時間情報を有してもよい。全地球測位システム（Global  Positioning  System、略称GPS）機能が画像の撮影中に有効になっている場合、ギャラリー内の画像は、位置情報を更に有してもよい。したがって、ギャラリー内の画像は、同じイベントの画像の少なくとも１つのグループを取得するために、ギャラリー内の画像の時間情報、位置情報、対象情報、又は撮影パラメータ情報のうち少なくとも１つに従ってグループ化されてもよい。同じ期間内に、画像の位置情報がネットワーク問題のため失われた場合、この画像の位置情報は、この画像の前後の画像の位置情報に従って決定されてもよい。同じ期間内に、この画像の前の画像の位置情報がこの画像の後の画像の位置情報と同じである場合、この画像は、この画像の前後の画像の位置情報と同じ位置情報を有すると決定されてもよい。
【００３８】
例えば、人物Aが2014年10月1日にShiliupu  Pierにおいて親友のヨットの結婚式に出席し、ヨットの結婚式に非常に興味を持った。スマートフォンのGPS機能を有効にした人物は、スマートフォンを使用することによりヨットの結婚式についての多数の写真を撮影し、これらの写真をギャラリーに保存した。ヨットの結婚式のイベントについての保存された写真は、時間情報及び位置情報を有し、ヨットの結婚式のイベントの画像のグループは、ヨットの結婚式のイベントの写真の時間情報及び位置情報に従って取得されてもよい。
【００３９】
S220：ユーザによりギャラリーから選択された同じイベントの画像の少なくとも１つのグループを取得し、ユーザによりギャラリーから選択された同じイベントの画像の少なくとも１つのグループを共有対象の画像として使用する。
【００４０】
Aがギャラリーから同じイベントの画像のグループを選択した場合、同じイベントの画像のグループは、2014年10月1日にShiliupu  Pierにおいて撮影された親友Cのヨットの結婚式の画像である。画像共有装置は、Aによりギャラリーから選択されたヨットの結婚式の画像のグループを取得し、ヨットの結婚式の画像のグループを共有対象の画像として使用してもよい。
【００４１】
S230：処理された共有対象の画像を取得するために、ターゲット共有プラットフォームにより許容される１回の最大共有可能写真数量に従って、共有対象の画像のうち少なくとも２つの画像において合成処理を実行し、処理された共有対象の画像の数量は、ターゲット共有プラットフォームにより許容される１回の最大共有可能写真数量以下である。
【００４２】
ターゲット共有プラットフォームの１回の最大共有可能写真数量は、ユーザにより設定されてもよく、或いは端末デバイスによりネットワーク側サーバから取得されてもよい。ターゲット共有プラットフォームに対応する１回の最大共有可能写真数量は、ネットワーク側サーバに記憶されてもよい。
【００４３】
共有対象の画像のうち少なくとも２つの画像は、処理された共有対象の画像を取得するため、ターゲット共有プラットフォームにより許容される１回の最大共有可能写真数量に従って合成される。例えば、AがAにより選択されたヨットの結婚式の画像のグループをWeChatに送信したいと思い、WeChatプラットフォームにより許容される１回の最大共有可能写真数量が９である場合、ヨットの結婚式の合計で２０個の画像が存在する場合には、画像共有装置は、ヨットの結婚式の画像のグループ内の少なくとも２つの画像を合成してもよく、取得された処理された共有対象の画像の数量は、ターゲット共有プラットフォームにより許容される１回の最大共有可能写真数量以下である。例えば、２０個の画像が１つの長い写真に合成され、長い写真が処理された共有対象の画像であるか、或いは２０個の写真が４個の長い写真に合成され、それぞれの長い写真が５個の画像を含み、４個の長い写真が処理された共有対象の画像である。２０個の画像から合成する長い写真の数量は、ユーザの選択に従って決定されてもよい点に留意すべきである。例えば、ユーザが２０個の画像を１つの長い写真に合成することを選択した場合、画像共有装置は、２０個の画像を１つの長い写真に合成してもよい。長い写真を合成するために使用される画像テンプレートは、ユーザによりギャラリーから選択された画像の数量及びターゲット共有プラットフォームにより許容される１回の最大共有可能写真数量に従って決定されてもよい。例えば、ユーザによりギャラリーから選択された画像の数量が１０であり、ターゲット共有プラットフォームにより許容される１回の最大共有可能写真数量が１であり、１０個の画像を１つの長い写真に接合するためのテンプレートが使用されると決定される。ターゲット共有プラットフォームにより許容される１回の最大共有可能写真数量が４である場合、１０個の画像を１つの長い写真に接合するためのテンプレート、１０個の画像を２つの長い写真に接合するためのテンプレート、１０個の画像を３つの長い写真に接合するためのテンプレート、又は１０個の画像を４個の長い写真に接合するためのテンプレートが決定されてもよい。
【００４４】
S240：処理された共有対象の画像をターゲット共有プラットフォームに送信する。
【００４５】
Bも、2014年10月1日にShiliupu  Pierにおいて親友Cのヨットの結婚式の画像を撮影した。Bは、通常の携帯電話を使用し、Bにより撮影された写真は、通常の写真のようにギャラリー内の全ての写真の中に配置された。Bが一度に複数の写真を共有したいと思う場合、Bは、まずギャラリーを出て、WeChatアプリケーションを開き、WeChatの共有ポータルを使用することにより、写真を再選択するためにギャラリーに入る必要がある。しかし、WeChatではせいぜい９個の画像が一度に選択されることができる。多数の満足のいく写真の中から、Bは、他のものに対して１つを選択することが困難であると見出す。写真を選択し、写真をWeChatに共有するために３分を要する一方、Aは、Aにより選択されたヨットの結婚式の２０個の画像をWeChatプラットフォームに一度に共有することができ、３０秒しか要さない。画像共有装置は、処理された共有対象の画像を編集してもよく、編集は、ターゲット共有プラットフォームに送信される画像をより美しくするために、画像を追加又は削除すること、フィルタを適用すること、クリッピングすること、及びテキスト又は感情を追加することを含むが、これらに限定されない点に留意すべきである。
【００４６】
ユーザは、ユーザが共有対象の画像において興味を持つ人物にマークを追加してもよく、例えば、共有対象の画像内の人物の肖像を丸で囲んでもよい点に留意すべきである。画像共有装置は、ユーザにより共有対象の画像内で選択された人物肖像情報に従って、人物肖像情報に対応する人物の識別情報を取得し、人物の識別情報に従って、共有対象の画像を人物の識別情報に対応する端末デバイスに送信してもよい。人物の識別情報は、人物の名前、電話番号、WeChatアカウント、メールアドレス等でもよい。
【００４７】
この実施例において提供される画像共有方法によれば、同じイベントの画像の少なくとも１つのグループを取得するために、ギャラリー内の画像の属性情報に従って、ギャラリー内の画像がグループ化され、ユーザによりギャラリーから選択された同じイベントの画像の少なくとも１つのグループが取得され、ユーザによりギャラリーから選択された同じイベントの画像の少なくとも１つのグループが共有対象の画像として使用され、
処理された共有対象の画像を取得するために、ターゲット共有プラットフォームにより許容される１回の最大共有可能写真数量に従って、共有対象の画像のうち少なくとも２つの画像において合成処理が実行され、処理された共有対象の画像がターゲット共有プラットフォームに送信される。ユーザにより選択された共有対象の画像の数量がターゲット共有プラットフォームにより許容される１回の最大共有可能写真数量より大きい場合、共有対象の画像が処理された後に取得された処理された共有対象の画像の数量は、ターゲット共有プラットフォームにより許容される１回の最大共有可能写真数量以下である。したがって、ユーザにより選択された共有対象の画像は、依然として一度にターゲット共有プラットフォームに共有され得る。これは、共有対象の画像の数量が制限されるという課題を解決し、ターゲット共有プラットフォームに共有されるべき画像の数量を増加させる。
【００４８】
図３は、本発明の実施例３による画像共有装置300の概略構成図である。この実施例において提供される画像共有装置は、図１に示す方法の実施例の技術的解決策を実行するように構成されてもよい。図３を参照すると、画像共有装置は、取得モジュール310と、処理モジュール320と、送信モジュール330とを含む。
【００４９】
取得モジュール310は、ユーザによりギャラリーから選択された画像を取得し、ユーザによりギャラリーから選択された画像を共有対象の画像として使用するように構成され、共有対象の画像の数量は、ターゲット共有プラットフォームにより許容される１回の最大共有可能写真数量より大きい。処理モジュール320は、処理された共有対象の画像を取得するために、ターゲット共有プラットフォームにより許容される１回の最大共有可能写真数量に従って、共有対象の画像のうち少なくとも２つの画像において合成処理を実行するように構成され、処理された共有対象の画像の数量は、ターゲット共有プラットフォームにより許容される１回の最大共有可能写真数量以下である。送信モジュール330は、処理された共有対象の画像をターゲット共有プラットフォームに送信するように構成される。
【００５０】
この実施例において提供される画像共有装置によれば、ユーザによりギャラリーから選択された画像が取得され、ユーザによりギャラリーから選択された画像が共有対象の画像として使用され、処理された共有対象の画像を取得するために、ターゲット共有プラットフォームにより許容される１回の最大共有可能写真数量に従って、共有対象の画像のうち少なくとも２つの画像において合成処理が実行され、処理された共有対象の画像がターゲット共有プラットフォームに送信される。ユーザにより選択された共有対象の画像の数量がターゲット共有プラットフォームにより許容される１回の最大共有可能写真数量より大きい場合、共有対象の画像が処理された後に取得された処理された共有対象の画像の数量は、ターゲット共有プラットフォームにより許容される１回の最大共有可能写真数量以下である。したがって、ユーザにより選択された共有対象の画像は、依然として一度にターゲット共有プラットフォームに共有され得る。これは、共有対象の画像の数量が制限されるという課題を解決し、ターゲット共有プラットフォームに共有されるべき画像の数量を増加させる。
【００５１】
さらに、処理モジュール320は、ユーザによりギャラリーから選択された画像が取得される前に、同じイベントの画像の少なくとも１つのグループを取得するために、ギャラリー内の画像の属性情報に従って、ギャラリー内の画像をグループ化するように更に構成される。
【００５２】
取得モジュール310は、ユーザによりギャラリーから選択された同じイベントの画像の少なくとも１つのグループを取得し、ユーザによりギャラリーから選択された同じイベントの画像の少なくとも１つのグループを共有対象の画像として使用するように具体的に構成される。
【００５３】
さらに、処理モジュール320は、同じイベントの画像の少なくとも１つのグループを取得するために、ギャラリー内の画像の以下の属性情報、すなわち、時間情報、位置情報、対象情報、又は撮影パラメータ情報のうち少なくとも１つに従って、ギャラリー内の画像をグループ化するように具体的に構成される。対象情報は、顔、表情、物体（例えば、ビル、スローガン又は標識のような表記）、色、背景等を含んでもよい点に留意すべきである。
【００５４】
さらに、処理モジュール320は、ユーザによりギャラリーから選択された画像の数量及びターゲット共有プラットフォームにより許容される１回の最大共有可能写真数量に従って、処理された共有対象の画像により使用される画像テンプレートを決定するように更に構成される。
【００５５】
さらに、ターゲット共有プラットフォームの１回の最大共有可能写真数量は、ユーザにより設定されるか、或いは端末デバイスによりネットワーク側サーバから取得される。
【００５６】
さらに、処理モジュール320は、ユーザにより共有対象の画像内で選択された人物肖像情報に従って、人物肖像情報に対応する人物の識別情報を取得し、人物の識別情報に従って、共有対象の画像を人物の識別情報に対応する端末デバイスに送信するように更に構成される。
【００５７】
図４は、本発明の実施例４による端末デバイス400の概略構成図である。この実施例において提供される端末デバイスは、図１に示す方法の実施例の技術的解決策を実行するように構成されてもよい。図４を参照すると、端末デバイスは、プロセッサ410と、送信機420とを含む。
【００５８】
プロセッサ410は、ユーザによりギャラリーから選択された画像を取得し、ユーザによりギャラリーから選択された画像を共有対象の画像として使用するように構成され、共有対象の画像の数量は、ターゲット共有プラットフォームにより許容される１回の最大共有可能写真数量より大きく、処理された共有対象の画像を取得するために、ターゲット共有プラットフォームにより許容される１回の最大共有可能写真数量に従って、共有対象の画像のうち少なくとも２つの画像において合成処理を実行するように構成され、処理された共有対象の画像の数量は、ターゲット共有プラットフォームにより許容される１回の最大共有可能写真数量以下である。送信機420は、処理された共有対象の画像をターゲット共有プラットフォームに送信するように構成される。
【００５９】
この実施例において提供される端末デバイスによれば、ユーザによりギャラリーから選択された画像が取得され、ユーザによりギャラリーから選択された画像が共有対象の画像として使用され、処理された共有対象の画像を取得するために、ターゲット共有プラットフォームにより許容される１回の最大共有可能写真数量に従って、共有対象の画像のうち少なくとも２つの画像において合成処理が実行され、処理された共有対象の画像がターゲット共有プラットフォームに送信される。ユーザにより選択された共有対象の画像の数量がターゲット共有プラットフォームにより許容される１回の最大共有可能写真数量より大きい場合、共有対象の画像が処理された後に取得された処理された共有対象の画像の数量は、ターゲット共有プラットフォームにより許容される１回の最大共有可能写真数量以下である。したがって、ユーザにより選択された共有対象の画像は、依然として一度にターゲット共有プラットフォームに共有され得る。これは、共有対象の画像の数量が制限されるという課題を解決し、ターゲット共有プラットフォームに共有されるべき画像の数量を増加させる。
【００６０】
さらに、プロセッサ410は、ユーザによりギャラリーから選択された画像を取得する前に、同じイベントの画像の少なくとも１つのグループを取得するために、ギャラリー内の画像の属性情報に従って、ギャラリー内の画像をグループ化するように更に構成される。
【００６１】
プロセッサ410は、ユーザによりギャラリーから選択された同じイベントの画像の少なくとも１つのグループを取得し、ユーザによりギャラリーから選択された同じイベントの画像の少なくとも１つのグループを共有対象の画像として使用するように具体的に構成される。
【００６２】
プロセッサ410は、同じイベントの画像の少なくとも１つのグループを取得するために、ギャラリー内の画像の以下の属性情報、すなわち、時間情報、位置情報、対象情報、又は撮影パラメータ情報のうち少なくとも１つに従って、ギャラリー内の画像をグループ化するように具体的に構成される。対象情報は、顔、表情、物体（例えば、ビル、スローガン又は標識のような表記）、色、背景等を含んでもよい点に留意すべきである。
【００６３】
さらに、プロセッサ410は、ユーザによりギャラリーから選択された画像の数量及びターゲット共有プラットフォームにより許容される１回の最大共有可能写真数量に従って、処理された共有対象の画像により使用される画像テンプレートを決定するように更に構成される。
【００６４】
さらに、ターゲット共有プラットフォームの１回の最大共有可能写真数量は、ユーザにより設定されるか、或いは端末デバイスによりネットワーク側サーバから取得される。
【００６５】
さらに、プロセッサ410は、ユーザにより共有対象の画像内で選択された人物肖像情報に従って、人物肖像情報に対応する人物の識別情報を取得し、人物の識別情報に従って、共有対象の画像を人物の識別情報に対応する端末デバイスに送信するように更に構成される。
【００６６】
当業者は、方法の実施例のステップの全部又は一部が、関係するハードウェアに命令するプログラムにより実現されてもよいことを理解し得る。プログラムは、コンピュータ読み取り可能記憶媒体に記憶されてもよい。プログラムが実行した場合、方法の実施例のステップが実行される。前述の記憶媒体は、ROM、RAM、磁気ディスク又は光ディスクのような、プログラムコードを記憶することができるいずれかの媒体を含む。
【００６７】
最後に、前述の実施例は、単に本発明の技術的解決策を説明することを意図するものであり、本発明を限定することを意図するものではない点に留意すべきである。本発明について前述の実施例を参照して詳細に説明したが、当業者は、本発明の実施例の技術的解決策の範囲を逸脱することなく、依然として前述の実施例において説明した技術的解決策に変更を行ってもよく、或いはその一部又は全部の技術的特徴に等価置換を行ってもよいことを理解するべきである。
【図１】
0006475339.tif 000002
【図２】
0006475339.tif 000003
【図３】
0006475339.tif 000004
【図４】
0006475339.tif 000005